(57)【特許請求の範囲】
【請求項１】
パター用シャフトを除くゴルフクラブ用シャフトが挿入される開口部を有する無孔の樹脂又は合成ゴムからなる所定の厚さの内層部と、
前記内層部の周囲に樹脂又は合成ゴムから形成され、独立気泡構造の複数の孔を有する多孔部と、
前記多孔部の周囲に形成された外層部と、
を備え、
前記複数の孔は、前記内層部から外層部に向かって柱状に形成され、 
前記複数の孔は空洞もしくは前記多孔部を形成する素材より軽量の素材を充填したものであり、
後端から先端に向かって２インチの位置における外径が２５ｍｍ以上４４ｍｍ以下であるゴルフクラブ用グリップ。
【請求項２】
長手方向の全長が２５ｃｍ以上４５ｃｍ以下である請求項１に記載のゴルフクラブ用グリップ。
【請求項３】
前記内層部の前記開口部に着脱可能に装着される重量調整用のキャップを更に備えた請求項１又は２に記載のゴルフクラブ用グリップ。
【請求項４】
パター用シャフトを除くゴルフクラブ用シャフトが挿入される開口部を有し、  内層部から外層部に向かって柱状に形成された独立気泡構造の複数の孔を有する樹脂又は合成ゴムから形成され、後端から先端に向かって２インチの位置における外径が２５ｍｍ以上４４ｍｍ以下、長手方向の全長が２５ｃｍ以上４５ｃｍ以下であるゴルフクラブ用グリップ。
【発明の詳細な説明】
【技術分野】
【０００１】
本発明は、ゴルフクラブ用グリップに関する。
【背景技術】
【０００２】
ゴルフクラブのグリップは、一般的に、手のひらで握るというよりも指の部分で握るようにするために細くなっており、グリップエンドから２インチの位置における外径は、例えば、男性用の場合で２２．０ｍｍ〜２４．４ｍｍ、女性用の場合で２０．８ｍｍ〜２３．０ｍｍとなっている。例えば、特許文献１のゴルフクラブ用グリップは、グリップエンドから４０ｍｍの位置における外径は、２３ｍｍとしている。
【０００３】
したがって、握力の弱い人の場合は、グリップを握った状態が不安定になったり、指に力が入り過ぎてスイングがうまくできないということがある。そのため、従来、ゴルフクラブのグリップを指の部分でうまく握れない人が、手のひらで安定的に、しかも力が入り過ぎないように握ることができ、かつ、重くなくてスイングに支障が生じないようにするため、手で握る部分の径を太くした発泡体製のグリップ被装具が提案されている（例えば、特許文献２参照）。
【０００４】
この特許文献１には、ゴルフクラブ用シャフトのグリップ部に巻き付ける発泡体製のテープ状のグリップ被装具、及びゴルフクラブ用シャフトのグリップ部に装着する発泡体製の筒状のグリップ被装具が開示されている。
【先行技術文献】
【特許文献】
【０００５】
【特許文献１】特開２００２−３２０６９３号公報
【特許文献２】実用新案登録第３０１６５５２号公報
【発明の概要】
【発明が解決しようとする課題】
【０００６】
ゴルフクラブ用グリップは、一般的に、２５〜２７ｃｍ程度の長さとなっている。特にショートアイアンの場合、飛距離を調整するため、ゴルフクラブ用グリップの先端部分を持つ場合がある。その先端部分の外径はさらに細くなるため、しっかり握るのが難しくなり、ボールの方向性が悪くなるおそれがある。
【０００７】
そこで、本発明の目的は、今までのグリップより太くて握りやすく、しかも重量もそれほど増やすことなく、握力が弱くてもしっかり握ることが可能なゴルフクラブ用グリップを提供することにある。
【課題を解決するための手段】
【０００８】
本発明は、上記課題を解決することを目的として、パター用シャフトを除くゴルフクラブ用シャフトが挿入される開口部を有する無孔の樹脂又は合成ゴム、もしくはその他軽量素材からなる所定の厚さの内層部と、前記内層部の周囲に樹脂又は合成ゴムから形成され、独立気泡構造の複数の孔を有する多孔部とを備え、後端から先端に向かって２インチの位置における外径が３１ｍｍ以上４４ｍｍ以下であるゴルフクラブ用グリップを提供する。
【発明の効果】
【０００９】
本発明によれば、今までにない握りやすい太さにより弱い握力でもしっかり握ることが可能になる。
【図面の簡単な説明】
【００１０】
【図１】図１（ａ）は、本発明の第１の実施の形態に係るゴルフ用グリップを適用したゴルフクラブの正面図、図１(ｂ)は、キャップの装着状態を示す要部断面図である。
【図２】図２は、図１に示すグリップの縦断面図である。
【図３】図３は、図２のＡ−Ａ線断面図である。
【図４】図４は、グリップの多孔部を展開して示す要部平面図である。
【図５】図５（ａ）は、本発明の変形例１に係るグリップの多孔部を展開して示す要部平面図、図５（ｂ）は、本発明の変形例２に係るグリップの多孔部を展開して示す要部平面図である。
【図６】図６は、本発明の第２の実施の形態に係るグリップの縦断面図である。
【図７】図７は、本発明の第３の実施の形態に係るグリップの縦断面図である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
［第１の実施の形態］
図１（ａ）は、本発明の第１の実施の形態に係るゴルフ用グリップを適用したゴルフクラブの正面図である。このゴルフクラブ１は、図１（ａ）に示すように、ヘッド２と、ヘッド２が先端３ａに接続されたゴルフクラブ用シャフト（以下単に「シャフト」と略す。）３と、シャフト３の後方に装着されたゴルフクラブ用グリップ（以下単に「グリップ」と略す。）４と、シャフト３の後端３ｂに着脱可能に装着されたキャップ５とを備えて構成されている。キャップ５部分は、その内部に金属板を備える着脱可能パーツではなく、金属板を備えないで単純に一体成型のグリップでもよい。その場合、キャップの説明に当たる（００１４）〜（００１６）は無いものとする。
【００１３】
シャフト３は、エポキシ樹脂等の樹脂を炭素繊維で強化した炭素繊維強化プラスチック、又はステンレス鋼等の金属から形成され、後端３ｂから先端３ａに向かって外径が細く形成されている。
【００１４】
（キャップの構成）
図１（ｂ）は、キャップ５の装着状態を示す要部断面図である。キャップ５は、合成樹脂からなる樹脂部５１と、樹脂部５１に内蔵された金属板５２とを備える。樹脂部５１は、蓋部５１ａと、軸部５１ｂとを備える。軸部５１ｂの外周面には凸部５１ｃが連続的に形成されている。グリップ４の後述する内層部４０のシャフト挿入孔４０ａの内周面には、凹部４０ｂが連続的に形成されている。
【００１５】
キャップ５をグリップ４に装着するときは、キャップ５をシャフト挿入孔４０ａに挿入することにより、キャップ５の凸部５１ｃが弾性変形してグリップ４の凹部４０ｂに嵌合される。キャップ５をグリップ４から外すときは、例えばマイナスドライバをグリップ４とキャップ５との間に挿入して行う。金属板５２の厚さ又は面積を変えることでキャップ５の重量が異なるものを複数用意しておくことにより、好みに応じて重量の異なるキャップ５をグリップ４に装着することが可能になる。
【００１６】
なお、キャップ５は、金属板５２を設ける代わりに、樹脂部５１を金属粉を含有するものとし、金属粉の含有量を変えることによりキャップ５の重量を変えてもよい。
【００１７】
（グリップの構成）
図２は、グリップ４の縦断面図である。図３は、図２のＡ−Ａ線断面図である。グリップ４は、基端４ａ（キャップ５側）から先端４ｂ（ヘッド２側）に向かって形成された内層部４０、多孔部４１及び外層部４２を有する。
【００１８】
内層部４０は、パター用シャフトを除くシャフト３が挿入される開口部としてのシャフト挿入孔４０ａを有する。シャフト挿入孔４０ａは、シャフト３の外径よりも若干小さいサイズの内径を有する。内層部４０のシャフト挿入孔４０ａの内周面には、凹部４０ｂが連続的に形成されている。内層部４０は、厚さが１〜３ｍｍ程度が好ましい。
【００１９】
多孔部４１は、壁部４１０と、複数の孔としての空間部４１１と、基端４ａに設けられ、空間部４１１を有していない基端側リング部４１ａと、先端４ｂに設けられ、空間部４１１を有していない先端側リング部４１ｂとを備える。
【００２０】
内層部４０及び多孔部４１は、射出成形等によって一体に形成されている。内層部４０及び多孔部４１の材料としては、例えば、ポリウレタン樹脂、シリコーン樹脂等の硬質の樹脂、天然ゴム、エチレンプロピレンゴム（ＥＰＤＭ）等の合成ゴム等を用いることができる。なお、内層部４０は、多孔部４１とは別部品で構成してもよい。この場合、内層部４０は、多孔部４１とは異なる材料で形成されていてもよく、同じ材料で形成されていてもよい。内層部４０の材料として、例えば、無孔の樹脂又は合成ゴムを用いることができる。多孔部４１は、独立気泡構造のアクリル系発泡体等の発泡体から形成されてもよい。
【００２１】
外層部４２は、内層部４０の外側に内層部４０と同心円状に形成されている。外層部４２は、基端４ａ側に周面が平行に形成された基端部４２ａと、周面が基端部４２ａから先端４ｂに向かって急な傾斜角を有するテーパ部４２ｂと、周面がテーパ部４２ｂから先端４ｂに向かって緩やかな傾斜角を有するテーパ部４２ｃと、周面が平行に形成された平行部４２ｄとから構成されている。後端部はテーパをつけなくてもよい。握りやすい太さの場合、手から抜け落ちることはほとんどありえないためである。
【００２２】
外層部４２は、基端４ａから先端４ｂに向かって２インチにおける外径Ｄが２５ｍｍ以上４４ｍｍ以下が好ましく、２７ｍｍ以上４４ｍｍ以下がより好ましく、３０ｍｍ以上４４ｍｍ以下がさらに好ましい。グリップ４の長手方向の全長は２５〜４５ｃｍが好ましく、２８〜４０ｃｍがより好ましく、３０〜４０ｃｍがさらに好ましい。
【００２３】
外層部４２は、例えば、樹脂、天然ゴム、合成ゴム等から形成される。外層部４２は、内層部４０及び多孔部４１と同じ材料を用いることができるが、異なる材料でもよい。外層部４２は、多孔部４１の外側の面に接着剤によって接着、もしくは融着される。また、外層部４２は、接着剤を用いずに熱融着で多孔部４１に接合してもよい。外層部４２は、テープ状のものを多孔部４１の外周に螺旋状に巻き付けてもよい。
【００２４】
図４は、多孔部４１を展開して示す要部平面図である。多孔部４１は、図２、図３及び図４に示すように、内層部４０と外層部４２とを接続する壁部４１０を有し、壁部４１０の間がハニカム構造の空間部４１１となっている。
【００２５】
空間部４１１は、内層部４０から外層部４１に向かう柱状に形成されているため、球状の孔がランダムに配列された多孔質のものと比べて復元性を高めることができる。空間部４１１は、図４において一辺が２．５〜５ｍｍ、好ましくは２．５〜３ｍｍの六角形を有する。なお、空間部４１１は、六角形の他に、例えば三角形、四角形、五角形、円形等の他の形状でもよい。
【００２６】
（第１の実施の形態の効果）
第１の実施の形態によれば、以下の効果を奏する。
（１）本実施の形態のグリップ４によれば、外径が比較的太いため、腱鞘炎その他様々な病気や怪我などが原因で握力が弱くなっている人や、生まれつき握力が弱く、しっかり握ることが難しい人でも、ゴルフクラブを振ったときにゴルフクラブが手から抜けて飛んでしまうおそれが少なくなる。
（２）本グリップ４の外径が比較的太いため、インターロッキンググリップやオーバーラッピンググリップ等で握っても、例えば、右打ちの場合に、今までのゴルフの打ち方では、グリップ上に這わせた左手親指をグリップといっしょに右手で押さえ包むようにして握ることで発生していた左親指を右手で押し付けて左親指の怪我（左母指手根中手関節炎等）を招くおそれもなくなる。
（３）インターロッキンググリップやオーバーラッピンググリップ等の握りは、親指とグリップを一体化するように親指を他方の手で包み込むようにして握るという複雑な握りであるため、初心者には難しいが、本グリップ４は野球のバットの握りのような左手親指をグリップ上に這わせることのないベースボールグリップでも握ることができ、初心者にとって易しい握りを採用することができる。
（４）本実施の形態のグリップ４によれば、多孔部４１を有しているので、軽量化が図れる。
（５）多孔部４１の空間部４１１が内層部４０から外層部４２に向かう柱状であるので、復元性を長期間に渡って保つことができる。
（６）重量調整用のキャップ５を備えることも可能なので、好みに応じたキャップ５を選択して装着することができる。
（７）本実施の形態の太いグリップ４を用いてもヘッド２のフェース面が安定するため、通常の太さのグリップと比べて方向性（スライス、フック）が安定することが期待される。また、ヘッドスピードが低下することもないため、通常の太さのグリップと同等の飛距離が期待できるので、従来の細いグリップに比べ、前後左右ともにショットの精度は増すことが期待される。
【００２７】
［変形例１］
図５(ａ)は、本発明の変形例１に係るグリップの多孔部４１を展開して示す要部平面図である。変形例１の多孔部４１は、第１の実施の形態の図４に示す多孔部４１において空間部４１１の一部を壁部４１０と同一の材料で構成した柱部４１２としものである。なお、柱部４１２の代わりに、空間部４１１の全部又は一部を発泡素材等の軽量部材で埋めてもよい。この場合に、外層部４２として透明のものを使用し、軽量部材として着色したものを使用してもよい。
【００２８】
［変形例２]
図５(ｂ)は、本発明の変形例２に係るグリップの多孔部４１を展開して示す要部平面図である。変形例２の多孔部４１は、第１の実施の形態の図４に示す多孔部４１において空間部の形状を大円形の空間部４１３と小円形の空間部４１４で構成し、４つの大円形の空間部４１３の中央の壁部４１０の中心に小円形の空間部４１４を配置したものである。
【００２９】
変形例２によれば、同じ大きさの大円形の空間部４１３のみと比べて軽量化を図ることができる。なお、小円形の空間部４１４を無くしてもよい。なお、空間部４１３、４１４の一方又は両方に軽量部材を埋めてもよい。
【００３０】
［第２の実施の形態］
図６は、本発明の第２の実施の形態に係るグリップの縦断面図である。第１の実施の形態では、外層部４２が２つのテーパ部４２ｂ、４２ｃを有していたが、本実施の形態の外層部４２は、テーパ部４２ｂを１つとしたものである。以下、第１の実施の形態と異なる点を中心に説明する。
【００３１】
本実施の形態のグリップ４は、基端４ａ（キャップ５側）から先端４ｂ（ヘッド２側）に向かって形成された内層部４０、多孔部４１及び外層部４２を有する。
【００３２】
外層部４２は、基端４ａ側に周面が平行に形成された基端部４２ａと、周面が基端部４２ａから先端４ｂに向かって急な傾斜角を有するテーパ部４２ｂと、周面が平行に形成された平行部４２ｄとから構成されている。
【００３３】
第２の実施の形態によれば、平行部４２ｄが第１の実施の形態よりも長いため、第１の実施の形態よりも持つ位置の調整が容易になる。
【００３４】
なお、本発明の実施の形態は、上記実施の形態に限定されず、種々な実施の形態が可能である。外層部４２は薄いシートを多孔部４１の周囲に巻き付けてもよい。また、内側に粘着剤が塗布された内層と、内層の上面に形成された多孔部と、多孔部の上面に形成された外層部とを有する帯状のテープを既存のグリップの周面に螺旋状に長手方向に渡って巻き付けてもよい。
【００３５】
また、本発明の要旨を変更しない範囲内で、上記実施の形態の構成要素の一部を省くことや変更することが可能である。また、上記各実施の形態では、外層部４２を設けたが、これを設けなくてもよい。
【符号の説明】
【００３６】
１…ゴルフクラブ、２…ヘッド、３…シャフト、３ａ…先端、３ｂ…後端、４…グリップ、４ａ…基端、４ｂ…先端、５…キャップ、４０…内層部、４０ａ…シャフト挿入孔、４０ｂ…凹部、４１…多孔部、４１ａ…基端側リング部、４１ｂ…先端側リング部、４２…外層部、４２ａ…基端部、４２ｂ…テーパ部、４２ｃ…テーパ部、４２ｄ…平行部、４２ｅ…先端部、５１…樹脂部、５１ａ…蓋部、５１ｂ…軸部、５２…金属板、５１ｃ…凸部、４１０…壁部、４１１…空間部、４１２…柱部
【図１】
0006341558.tif 000002
【図２】
0006341558.tif 000003
【図３】
0006341558.tif 000004
【図４】
0006341558.tif 000005
【図５】
0006341558.tif 000006
【図６】
0006341558.tif 000007
【図７】
0006341558.tif 000008